(57)【要約】【課題】  ＤＶＩのＤＤＣの負荷容量を軽減し、ケーブルの長距離化を容易にする。【解決手段】  送信装置１９は、送信側制御データ記憶手段１４を備えている。また、受信装置２９は、受信側制御データ記憶手段２４とを備えている。動作時には、リセット後にＥＤＩＤとＨＤＣＰのデバイス鍵等を受信側制御データ記憶手段２４へ記憶させる。次いで、ＤＤＣを介して、ＥＤＩＤとＨＤＣＰの認証に必要な情報を受信側制御データ記憶手段２４から送信側制御データ記憶手段１４へコピーする。送信制御手段１５は送信側制御データ記憶手段１４をアクセスして、プラグアンドプレイとＨＤＣＰの認証とを実現する。送信装置１９と受信装置２９との間で、ＤＤＣが１対１に接続されるため、波形なまりを最小限にすることができ、ケーブルの長距離化が容易になる。【選択図】        図３
2005051558.tif 000002
【特許請求の範囲】
【請求項１】
少なくとも動作時には第１のバスと第２のバスとを含む伝送路に接続され、入力されたデータを暗号化して上記第１のバスへ送信するための送信装置であって、
上記第２のバスを介して上記受信装置から伝送される複数の情報を記憶するための送信側制御データ記憶手段と、
上記送信側制御データ記憶手段に記憶された上記複数の情報のうちから指定された情報を出力するとともに、上記送信側制御データ記憶手段に記憶された情報をもとに暗号鍵を生成するための送信側制御データ処理手段と、
上記入力されたデータを上記暗号鍵を用いて暗号化し、暗号化されたデータを出力するためのデータ暗号化手段と、
上記暗号化されたデータを上記第１のバスへ送出するためのデータ送信手段と
を備えている送信装置。
【請求項２】
請求項１に記載の送信装置において、
上記第２のバスより得た上記複数の情報には、上記伝送路に接続され、暗号化された上記データを受信する機器の情報が含まれている、送信装置。
【請求項３】
請求項１または２に記載の送信装置において、
リセット動作後に、上記送信側制御データ記憶手段が上記第２のバスより得た上記複数の情報を一括して記憶する、送信装置。
【請求項４】
請求項２に記載の送信装置において、
上記データは映像信号を含み、
上記送信側制御データ処理手段に接続された送信制御手段と、データ暗号化手段に接続された送信データ処理手段とをさらに備え、
上記送信制御手段は、上記送信側制御データ記憶手段から読み出した上記機器の情報を用いて、上記送信データ処理手段に、上記映像信号の水平走査周期か垂直走査周期のうち少なくとも一方を決定させる、送信装置。
【請求項５】
請求項１〜４のうちいずれか１つに記載の送信装置において、
上記第１のバスは高速バスであり、上記第２のバスは、上記第１のバスよりも伝送速度が小さい低速バスである、送信装置。
【請求項６】
請求項１〜５のうちいずれか１つに記載の通信装置において、
上記伝送路はＤＶＩ規格またはＨＤＭＩ規格に準拠している、送信装置。
【請求項７】
請求項１〜６のうちいずれか１つに記載の通信装置において、
上記送信側制御データ記憶手段、上記送信側制御データ処理手段、データ暗号化手段、及び上記データ送信手段は、１つのＬＳＩ内に設けられており、
上記ＬＳＩには、上記送信側制御データ処理手段と上記第２のバスとを接続するための端子が設けられている、送信装置。
【請求項８】
少なくとも動作時には第１のバスと第２のバスとを含む伝送路に接続され、上記第１のバスを介して暗号化されたデータを受信するための受信装置であって、
上記暗号化されたデータを上記第１のバスを介して受信するためのデータ受信手段と、
複数の情報を記憶するための受信側制御データ記憶手段と、
上記受信側制御データ記憶手段に記憶された上記複数の情報を上記第２のバスへ出力するとともに、上記第２のバスから入力された情報と上記受信側制御データ記憶手段に記憶された情報とをもとに復号鍵を生成するための受信側制御データ処理手段と、
上記暗号化されたデータを上記復号鍵を用いて復号化し、復号化されたデータを出力するためのデータ復号化手段と
を備えている受信装置。
【請求項９】
請求項８に記載の受信装置において、
上記暗号化されたデータは映像信号を含み、
少なくとも動作時に、上記データ復号化手段は、上記復号化されたデータの内容を表示可能なパネルに接続された受信データ処理手段に接続され、
上記受信側制御データ記憶手段に記憶される上記複数の情報には、上記パネルが処理可能なデータについての情報が含まれている、受信装置。
【請求項１０】
請求項８に記載の受信装置において、
上記複数の情報が保持されたメモリと、
上記メモリから上記複数の情報を上記受信側制御データ処理手段に伝達するための受信制御手段と、
上記復号化されたデータを上記複数の情報に基づいて処理するための受信データ処理手段と、
上記受信データ処理手段で処理されたデータを表示するためのパネルと
をさらに備え、
上記暗号化されたデータは映像信号を含み、
上記複数の情報には、上記パネルが処理可能なデータについての情報が含まれている、受信装置。
【請求項１１】
請求項８〜１０のうちいずれか１つに記載の受信装置において、
リセット動作後に、上記受信側制御データ記憶手段が、上記複数の情報を一括して記憶する、受信装置。
【請求項１２】
請求項８〜１１のうちいずれか１つに記載の受信装置において、
上記第１のバスは高速バスであり、上記第２のバスは、上記第１のバスよりも伝送速度が小さい低速バスである、受信装置。
【請求項１３】
請求項８〜１２のうちいずれか１つに記載の受信装置において、
上記伝送路はＤＶＩ規格またはＨＤＭＩ規格に準拠している、受信装置。
【請求項１４】
請求項８〜１３のうちいずれか１つに記載の受信装置において、
上記データ受信手段、上記受信側制御データ記憶手段、上記受信側制御データ処理手段、及び上記データ復号化手段は、１つのＬＳＩ内に設けられており、
上記ＬＳＩには、上記受信側制御データ処理手段と上記第２のバスとを接続するための端子が設けられている、受信装置。
【請求項１５】
入力されたデータを暗号化されたデータにして送信するための送信装置と、上記暗号化されたデータを受信して復号化するための受信装置と、第１のバスと第２のバスとを含み、上記送信装置と上記受信装置との間を接続するための伝送路とを備えた送受信システムであって、
上記送信装置は、
上記第２のバスを介して上記受信装置から伝送される複数の情報を記憶するための送信側制御データ記憶手段と、
上記送信側制御データ記憶手段に記憶された上記複数の情報のうちから指定された情報を出力するとともに、上記送信側制御データ記憶手段に記憶された情報をもとに暗号鍵を生成するための送信側制御データ処理手段と、
上記入力されたデータを上記暗号鍵を用いて暗号化し、暗号化されたデータを出力するためのデータ暗号化手段と、
上記暗号化されたデータを上記第１のバスへ送出するためのデータ送信手段とを有し、
上記受信装置は、
上記暗号化されたデータを上記第１のバスを介して受信するためのデータ受信手段と、
上記複数の情報を記憶するための受信側制御データ記憶手段と、
上記受信側制御データ記憶手段に記憶された上記複数の情報を上記第２のバスへ出力するとともに、上記第２のバスを介して上記送信側制御データ処理手段から入力された情報と上記受信側制御データ記憶手段に記憶された情報とをもとに復号鍵を生成するための受信側制御データ処理手段と、
上記暗号化されたデータを上記復号鍵を用いて復号化し、復号化されたデータを出力するためのデータ復号化手段とを有している、送受信システム。
【請求項１６】
請求項１５に記載の送受信システムにおいて、
上記暗号化されたデータは映像信号を含み、
少なくとも動作時に、上記データ復号化手段は、上記復号化されたデータの内容を表示可能なパネルに接続された受信データ処理手段に接続され、
上記受信側制御データ記憶手段に記憶される上記複数の情報には、上記パネルが処理可能なデータについての情報が含まれている、送受信システム。
【請求項１７】
請求項１５に記載の送受信システムにおいて、
上記暗号化されたデータは映像信号を含み、
上記受信装置は、上記複数の情報が保持されたメモリと、上記メモリから上記複数の情報を上記受信側制御データ処理手段に伝達するための受信制御手段と、上記復号化されたデータを上記複数の情報に基づいて処理するための受信データ処理手段と、上記受信データ処理手段で処理されたデータを表示するためのパネルとをさらに有し、
上記複数の情報には、上記パネルが処理可能なデータについての情報が含まれている、送受信システム。
【請求項１８】
請求項１５〜１７のうちいずれか１つに記載の送受信システムにおいて、
リセット動作後に、上記受信側制御データ記憶手段は上記複数の情報を一括して記憶し、
上記送信側制御データ記憶手段は、上記第２のバスを介して上記受信側制御データ記憶手段から送信された上記複数の情報を一括して記憶する、送受信システム。
【請求項１９】
請求項１６または１７に記載の送受信システムにおいて、
上記送信装置は、上記送信側制御データ処理手段に接続された送信制御手段と、データ暗号化手段に接続された送信データ処理手段とをさらに備え、
上記送信制御手段は、上記送信側制御データ記憶手段から読み出した上記パネルの情報を用いて、上記送信データ処理手段に、上記映像信号の水平走査周期か垂直走査周期のうち少なくとも一方を決定させる、送受信システム。
【請求項２０】
請求項１５〜１９のうちいずれか１つに記載の送受信システムにおいて、
上記第１のバスは高速バスであり、上記第２のバスは、上記第１のバスよりも伝送速度が小さい低速バスである、送受信システム。
【請求項２１】
請求項１５〜２０のうちいずれか１つに記載の通信装置において、
上記伝送路はＤＶＩ規格またはＨＤＭＩ規格に準拠している、送受信システム。
【請求項２２】
請求項１５〜２１のうちいずれか１つに記載の通信装置において、
上記送信側制御データ記憶手段、上記送信側制御データ処理手段、データ暗号化手段、及び上記データ送信手段は、共に第１のＬＳＩ内に設けられており、
上記第１のＬＳＩには、上記送信側制御データ処理手段と上記第２のバスとを接続するための端子が設けられている、送受信システム。
【請求項２３】
請求項１５〜２３のうちいずれか１つに記載の通信装置において、
上記データ受信手段、上記受信側制御データ記憶手段、上記受信側制御データ処理手段、及び上記データ復号化手段は、共に第２のＬＳＩ内に設けられており、
上記第２のＬＳＩには、上記受信側制御データ処理手段と上記第２のバスとを接続するための端子が設けられている、送受信システム。
【発明の詳細な説明】
【技術分野】
【０００１】
本発明は、映像信号の高速伝送を行うために用いられる送信装置、受信装置、および送受信システムに関する。
【背景技術】
【０００２】
従来から、コンピュータ本体とディスプレイとの間で、デジタル化された映像信号を高速に伝送するためのインターフェースとして、ＤＶＩ（Digital Visual Interface)規格
が知られている（例えば、特許文献１参照）。
【０００３】
また、ＤＶＩの不正コピー保護方式として、ＨＤＣＰ（High-bandwidth Digital Content Protection)が知られている（特許文献１参照）。このＨＤＣＰを採用した従来の送受信システムについて以下に説明する。
【０００４】
図４は、従来の送受信システムの一例を示すブロック図である。同図に示す従来の映像信号の送受信システムは、送信装置１４３と受信装置１４８とを備えている。
【０００５】
送受信システムのうち、送信装置１４３は、記録媒体に記録された映像データを読み出して、ディジタル映像信号として送信するための送信側処理装置２０１の一部である。また、受信装置１４８は、送信側処理装置２０１から受信したディジタル映像信号を表示するための表示装置の一部であり、単一のＬＳＩの形で供給されることが多い。
【０００６】
従来の送信側処理装置２０１と表示装置２０３とは、ＤＶＩ規格に準拠した伝送路１６０によって互いに接続されている。送信側処理装置２０１の一例としては、パーソナルコンピュータやＤＶＤプレーヤーなど、表示装置２０３の一例としてはＴＶや液晶表示装置などがそれぞれ挙げられる。
【０００７】
図４に示すように、送信側処理装置２０１は、第１のデバイス鍵１１７を保持する第１のメモリと、送信制御手段１４２と、記録媒体に記録された映像信号を処理するための送信データ処理手段１１６と、送信制御手段１４２及び送信データ処理手段１１６にそれぞれ接続され、映像信号を暗号化して送信するための送信装置１４３とを備えている。
【０００８】
送信装置１４３は、送信制御手段１４２に接続され、映像信号を暗号化するための暗号化制御手段１４１と、送信データ処理手段１１６に接続されたデータ暗号化手段１１２と、データ暗号化手段１１２に接続され、伝送路１６０のうち高速バス１６１を介して表示装置２０３に暗号化された映像信号を出力するためのデータ送信手段１１１とを有している。
【０００９】
一方、表示装置２０３は、暗号化された映像信号を受けて該映像信号を復号化するための受信装置１４８と、第２のデバイス鍵１４６を保持する第２のメモリと、受信側情報１４７を保持する第３のメモリに接続された受信制御手段１４５と、受信装置１４８で復号化された映像信号を処理する受信データ処理手段１２６と、受信データ処理手段１２６で処理された映像信号を表示するためのパネル１２８とを備えている。第３のメモリは、伝送路１６０のうち低速バス１６２を介して送信制御手段１４２に接続される。また、受信側情報１４７は、ＥＤＩＤ（Extended Display Identification Data)を含んでいる。特
に、現在のＤＶＩ規格、またはＨＤＭＩ規格を用いる場合、受信側情報１４７はＥＤＩＤと同じものを指す。ＥＤＩＤは、表示装置２０３が処理できる信号の種類についての情報や、パネルの解像度などの情報、あるいはピクセルクロック、水平有効期間、垂直有効期
間などの情報を含む。
【００１０】
受信装置１４８は、高速バス１６１を介して暗号化された映像信号を受信するためのデータ受信手段１２１と、受信制御手段１４５に接続された復号化制御手段１４４と、データ受信手段１２１に接続され、暗号化された映像信号を復号化するデータ復号化手段１２２とを有している。
【００１１】
以上のような、送信装置１４３と受信装置１４８とを主要部とする従来の送受信システムの動作について説明する。図４に示す例では、ＤＶＤディスク１１８に記録されている映像信号をパネル１２８に表示する場合を例にとる。
【００１２】
まず、ＤＶＤディスク１１８に記録されている映像信号は、送信データ処理手段１１６で信号処理を施される。ここでは、送信データ処理手段１１６が、例えばＤＶＤディスク１１８に圧縮された状態で記録された映像信号をデコードする等の処理を行う。データ暗号化手段１１２の暗号化の方式には、ＨＤＣＰが用いられる。
【００１３】
次に、送信データ処理手段１１６から送られた映像信号は、データ暗号化手段１１２で暗号化される。ここで暗号化された映像信号はデータ送信手段１１１に転送される。なお、映像信号を暗号化するための演算の方法については後述する。
【００１４】
続いて、データ送信手段１１１が、暗号化された映像信号を高速バス１６１へ送出する。ＤＶＩ規格では、ＴＭＤＳ（Transition Minimized Differential Signals)と呼ばれる方式で伝送される。すなわち、高速バス１６１はシリアル伝送路であり、該高速バス１６１には、赤、緑、青のチャンネル毎の伝送路と、クロックの伝送路とが設けられている。赤、緑、青に分解された映像信号は伝送路内をベースバンド信号で伝送されることとなっている。なお、高速バス１６１の最大転送速度はチャンネル毎に約７５０Ｍｂｉｔ/ｓｅ
ｃ以上である。また、ＴＭＤＳ方式では差動信号が用いられるので、ノイズや信号の歪みに対する耐性が高くなっている。
【００１５】
次に、データ受信手段１２１は、高速バス１６１を介して暗号化された映像信号を受信し、この映像信号をデータ復号化手段１２２に転送する。次いで、暗号化された映像信号はデータ復号化手段１２２によって復号化され、元の映像信号に復元される。その後、復元された映像信号は、受信データ処理手段１２６に送られる。なお、映像信号を復号化する際の演算方法については後述する。
【００１６】
次に、受信データ処理手段１２６で信号処理が施された後、パネル１２８で映像信号の内容が表示される。本ステップでは、受信データ処理手段１２６が、例えば階調補正や、水平・垂直走査周期に応じたパネル１２８への信号出力の最適化を行なう。
【００１７】
ＤＶＩ規格では、プラグアンドプレイ（plug and play)が実現されており、使用するパネルの解像度に合わせて映像信号の伝送を行う。このプラグアンドプレイを実現するために、伝送路１６０には低速バス１６２が設けられている。低速バス１６２は、ＤＤＣ（Display Data Channel)と呼ばれ、双方向バスであるＩ２Ｃバスが採用されている。Ｉ２Ｃ
バスは最大転送クロック周波数１００ｋＨｚの低速なシリアルバスである。この低速バス１６２を介して、受信側情報１４７を送信制御手段１４２が入手することで、プラグアンドプレイを実現する。以下、プラグアンドプレイ動作を詳しく説明する。
【００１８】
受信側情報１４７は、具体的にはフラッシュメモリやＥＥＰＲＯＭに記録された情報であり、パネル１２８の解像度やフレーム周波数等の情報を含んでいる。
【００１９】
送信制御手段１４２は低速バス１６２を介して受信側情報１４７を取得し、送信データ処理手段１１６を制御してパネル１２８にとって最適な水平走査周波数、垂直走査周波数の映像信号を出力させる。これによって、常に最適な状態で、パネル１２８にＤＶＤディスク１１８に記録された映像を表示させることが可能になる。なお、送信制御手段１４２には、例えばマイコンが使用される。
【００２０】
低速バス１６２のもう１つの役割として、ＨＤＣＰの認証動作がある。ＨＤＣＰでは、受信機器が不正な機器ではないことを認証した後、初めて暗号化伝送が可能となる。この認証に必要な情報は、低速バス１６２を介して伝送される。以下、認証動作を詳しく説明する。
【００２１】
受信制御手段１４５は、第２のデバイス鍵１４６をもとにして復号化制御手段１４４を用いて所定の手順で演算を行う。こうして得られた演算結果は、低速バス１６２を介して送信制御手段１４２へ伝送される。送信制御手段１４２は第１のデバイス鍵１１７をもとに暗号化制御手段１４１を用いて所定の手順で演算を行い、得られた演算結果と受信制御手段１４５による演算結果とから、受信機器が不正な機器ではないことを確認する。受信制御手段１４５には、例えばマイコンが使用される。送信制御手段１４２は第１のデバイス鍵１１７を元に暗号化制御手段１４１を用いて暗号鍵を生成し、データ暗号化手段１１２はこの暗号鍵を用いて暗号化を行う。これと同様に、受信制御手段１４５はデバイス鍵１４６をもとに復号化制御手段１４４を用いて復号鍵を生成し、データ復号化手段１２２はこの復号鍵を用いて復号化を行う。なお、第１のデバイス鍵１１７と第２のデバイス鍵１４６とはそれぞれ送信側機器、受信側機器に固有の鍵であり、「鍵交換」と呼ばれるステップによって第１のデバイス鍵１１７から作られた暗号鍵と第２のデバイス鍵から作られた復号鍵とを一致させる。
【００２２】
以上のように、低速バス１６２にはプラグアンドプレイと認証の２つの役割があって、図４に示す接続方法と図５に示す接続方法とが知られている。
【００２３】
図４は、送信制御手段１４２が低速バス１６２を制御するポートと、暗号化制御手段１４１を制御するポートの２つを持つ場合の従来の送受信システムを示している。
【００２４】
低速バス１６２を制御するポートはＩ２Ｃバスであるが、暗号化制御手段１４１を制御するポートは、Ｉ２Ｃバスである場合や、パラレルバスである場合等があり、Ｉ２Ｃバスとは限らない。
【００２５】
図５は、従来の送受信システムの別の例を示すブロック図である。同図に示すように、この例では、送信制御手段１４２が１つのポートで低速バス１６２と暗号化制御手段１４１を制御する場合を示している。この場合、送信制御手段１４２はポートを１つのみ持てばよいので、図４に示す送信制御手段１４２に比べて低価格なものを使うことができる。
【特許文献１】特開２００２−３１４９７０号公報（第６頁、図２）
【発明の開示】
【発明が解決しようとする課題】
【００２６】
上述の従来の送受信システムを用いれば、記録媒体に記録された映像を表示装置で再現することができる。しかしながら、近年のＡＶ機器の進歩は急激に進んでおり、表示画質のさらなる向上や低価格化などを実現する技術が常に必要とされている。
【００２７】
従来の送受信システムのうち、図４に示す構成では、送信制御手段１４２が低速バス１６２を制御するポート以外にもう１つポートを用意しなければならず、送信制御手段１４２のサイズが大きくなり、且つ高価になるという不具合があった。
【００２８】
一方、図５に示す送受信システムにおいては、送信制御手段１４２の１つのポートに暗号化制御手段１４１、及び受信側情報１４７を保持する第３のメモリの２つが接続されることになり、このポートの負荷容量が増加する。このため伝送路１６０を長距離化すると、波形なまりが発生し、情報を伝達できなくなるという不具合があった。
【００２９】
さらに、図４に示す構成、及び図５に示す構成ではともに、受信側の表示装置内で低速バス１６２に受信制御手段１４５と受信側情報１４７の２つが接続されており、負荷容量が大きい。このことによっても伝送路１６０の長距離化は困難となっていた。
【００３０】
本発明は上記従来の不具合の解決を図るもので、安価な送信制御手段が利用可能で伝送路の長距離化が容易な送信装置，受信装置，および送受信システムを提供することを目的とする。
【課題を解決するための手段】
【００３１】
上述の課題を解決するため、本発明の送信装置は、少なくとも動作時には第１のバスと第２のバスとを含む伝送路に接続され、入力されたデータを暗号化して上記第１のバスへ送信するための送信装置であって、上記第２のバスを介して上記受信装置から伝送される複数の情報を記憶するための送信側制御データ記憶手段と、上記送信側制御データ記憶手段に記憶された上記複数の情報のうちから指定された情報を出力するとともに、上記送信側制御データ記憶手段に記憶された情報をもとに暗号鍵を生成するための送信側制御データ処理手段と、上記入力されたデータを上記暗号鍵を用いて暗号化し、暗号化されたデータを出力するためのデータ暗号化手段と、上記暗号化されたデータを上記第１のバスへ送出するためのデータ送信手段とを備えている。
【００３２】
この構成により、伝送路を介して受信側の機器に接続する場合、例えば、ＨＤＣＰの認証動作やプラグアンドプレイに必要な複数の情報を、第２のバスを介さずに送信側制御データ記憶手段から取り出すことが可能になるので、第２のバスの転送速度に左右されずに認証動作やプラグアンドプレイを実行することが可能となる。また、第２のバスの負荷容量を小さくすることができ、伝送路を長距離化してもデータ信号の波形なまりを発生しにくくすることができる。
【００３３】
上記第２のバスより得た上記複数の情報には、上記伝送路に接続され、暗号化された上記データを受信する機器の情報が含まれていれば、上述のようなプラグアンドプレイや認証動作を実現することができる。
【００３４】
リセット動作後に、上記送信側制御データ記憶手段が上記第２のバスより得た上記複数の情報を一括して記憶することにより、その後の動作中に第２のバスを介して複数の情報を得る必要がなくなるので、複数の情報へのアクセスを高速に行えるようになる。
【００３５】
また、上記データは映像信号を含み、且つ本発明の送信装置は、上記送信側制御データ処理手段に接続された送信制御手段と、データ暗号化手段に接続された送信データ処理手段とをさらに備え、上記送信制御手段は、上記送信側制御データ記憶手段から読み出した上記機器の情報を用いて、上記送信データ処理手段に、上記映像信号の水平走査周期か垂直走査周期のうち少なくとも一方を決定させることにより、映像信号を表示する際のプラグアンドプレイを具体的に実現できる。
【００３６】
上記第１のバスは高速バスであり、上記第２のバスは、上記第１のバスよりも伝送速度が小さい低速バスであれば、第２のバスに高速バスを用いる場合に比べて製造コストを低減することができる。本発明の送信装置においては、第２のバスの負荷容量が従来の送信
装置よりも小さくなっているので、安価な低速バスを用いても信号の波形なまりを発生しにくくできる。
【００３７】
上記送信側制御データ記憶手段、上記送信側制御データ処理手段、データ暗号化手段、及び上記データ送信手段は、１つのＬＳＩ内に設けられており、上記ＬＳＩには、上記送信側制御データ処理手段と上記第２のバスとを接続するための端子が設けられていてもよい。
【００３８】
本発明の受信装置は、少なくとも動作時には第１のバスと第２のバスとを含む伝送路に接続され、上記第１のバスを介して暗号化されたデータを受信するための受信装置であって、上記暗号化されたデータを上記第１のバスを介して受信するためのデータ受信手段と、複数の情報を記憶するための受信側制御データ記憶手段と、上記受信側制御データ記憶手段に記憶された上記複数の情報を上記第２のバスへ出力するとともに、上記第２のバスから入力された情報と上記受信側制御データ記憶手段に記憶された情報とをもとに復号鍵を生成するための受信側制御データ処理手段と、上記暗号化されたデータを上記復号鍵を用いて復号化し、復号化されたデータを出力するためのデータ復号化手段とを備えている。
【００３９】
この構成により、第２のバスの分岐をなくせるので、第２のバス当たりの負荷容量を従来の受信装置に比べて小さくすることができる。このため、伝送路を長距離化しても波形なまりが発生しにくくでき、容易に伝送路の長距離化を行うことができる。
【００４０】
上記暗号化されたデータは映像信号を含み、少なくとも動作時に、上記データ復号化手段は、上記復号化されたデータの内容を表示可能なパネルに接続された受信データ処理手段に接続され、上記受信側制御データ記憶手段に記憶される上記複数の情報には、上記パネルが処理可能なデータについての情報が含まれていれば、送信装置と組み合わせた場合に、映像信号の不正コピーを防止やプラグアンドプレイを実現することができる。
【００４１】
受信装置は、上記複数の情報が保持されたメモリと、上記メモリから上記複数の情報を上記受信側制御データ処理手段に伝達するための受信制御手段と、上記復号化されたデータを上記複数の情報に基づいて処理するための受信データ処理手段と、上記受信データ処理手段で処理されたデータを表示するためのパネルとをさらに備え、上記暗号化されたデータは映像信号を含み、上記複数の情報には、上記パネルが処理可能なデータについての情報が含まれていてもよい。
【００４２】
リセット動作後に、上記受信側制御データ記憶手段が、上記複数の情報を一括して記憶することにより、動作速度が第２のバスのアクセススピードに左右されることがなくなるので好ましい。
【００４３】
上記第１のバスは高速バスであり、上記第２のバスは、上記第１のバスよりも伝送速度が小さい低速バスであることにより、第２のバスにおける信号の波形なまりを抑えた、安価な受信装置を実現できる。
【００４４】
上記データ受信手段、上記受信側制御データ記憶手段、上記受信側制御データ処理手段、及び上記データ復号化手段は、１つのＬＳＩ内に設けられており、上記ＬＳＩには、上記受信側制御データ処理手段と上記第２のバスとを接続するための端子が設けられていてもよい。
【００４５】
本発明の送受信システムは、入力されたデータを暗号化されたデータにして送信するための送信装置と、上記暗号化されたデータを受信して復号化するための受信装置と、第１
のバスと第２のバスとを含み、上記送信装置と上記受信装置との間を接続するための伝送路とを備えた送受信システムであって、上記送信装置は、上記第２のバスを介して上記受信装置から伝送される複数の情報を記憶するための送信側制御データ記憶手段と、上記送信側制御データ記憶手段に記憶された上記複数の情報のうちから指定された情報を出力するとともに、上記送信側制御データ記憶手段に記憶された情報をもとに暗号鍵を生成するための送信側制御データ処理手段と、上記入力されたデータを上記暗号鍵を用いて暗号化し、暗号化されたデータを出力するためのデータ暗号化手段と、上記暗号化されたデータを上記第１のバスへ送出するためのデータ送信手段とを有し、上記受信装置は、上記暗号化されたデータを上記第１のバスを介して受信するためのデータ受信手段と、上記複数の情報を記憶するための受信側制御データ記憶手段と、上記受信側制御データ記憶手段に記憶された上記複数の情報を上記第２のバスへ出力するとともに、上記第２のバスを介して上記送信側制御データ処理手段から入力された情報と上記受信側制御データ記憶手段に記憶された情報とをもとに復号鍵を生成するための受信側制御データ処理手段と、上記暗号化されたデータを上記復号鍵を用いて復号化し、復号化されたデータを出力するためのデータ復号化手段とを有している。
【００４６】
この構成により、本発明の送信装置を従来の受信装置と組み合わせる場合に比べても第２のバスの負荷容量を小さくすることができるので、伝送される信号の波形なまりの発生を抑え、より伝送路の長距離化を実現することができる。
【００４７】
上記暗号化されたデータは映像信号を含み、少なくとも動作時に、上記データ復号化手段は、上記復号化されたデータの内容を表示可能なパネルに接続された受信データ処理手段に接続され、上記受信側制御データ記憶手段に記憶される上記複数の情報には、上記パネルが処理可能なデータについての情報が含まれている場合、映像信号の表示を実現することができる。
【００４８】
上記暗号化されたデータは映像信号を含み、上記受信装置は、上記複数の情報が保持されたメモリと、上記メモリから上記複数の情報を上記受信側制御データ処理手段に伝達するための受信制御手段と、上記復号化されたデータを上記複数の情報に基づいて処理するための受信データ処理手段と、上記受信データ処理手段で処理されたデータを表示するためのパネルとをさらに有し、上記複数の情報には、上記パネルが処理可能なデータについての情報が含まれていてもよい。
【００４９】
リセット動作後に、上記受信側制御データ記憶手段は上記複数の情報を一括して記憶し、上記送信側制御データ記憶手段は、上記第２のバスを介して上記受信側制御データ記憶手段から送信された上記複数の情報を一括して記憶することにより、動作中に第２のバスを介した複数の情報のやりとりを抑えることができるので、第２のバスの伝送速度が比較的遅い場合に、認証動作やプラグアンドプレイ動作を速やかに行うことが可能となる。。
【００５０】
上記送信装置は、上記送信側制御データ処理手段に接続された送信制御手段と、データ暗号化手段に接続された送信データ処理手段とをさらに備え、上記送信制御手段は、上記送信側制御データ記憶手段から読み出した上記パネルの情報を用いて、上記送信データ処理手段に、上記映像信号の水平走査周期か垂直走査周期のうち少なくとも一方を決定させることにより、パネルに最適なデータを送ることができるので好ましい。。
【００５１】
上記第１のバスは高速バスであり、上記第２のバスは、上記第１のバスよりも伝送速度が小さい低速バスであれば好ましい。
【００５２】
上記送信側制御データ記憶手段、上記送信側制御データ処理手段、データ暗号化手段、及び上記データ送信手段は、共に第１のＬＳＩ内に設けられており、上記第１のＬＳＩに
は、上記送信側制御データ処理手段と上記第２のバスとを接続するための端子が設けられていてもよい。
【００５３】
上記データ受信手段、上記受信側制御データ記憶手段、上記受信側制御データ処理手段、及び上記データ復号化手段は、共に第２のＬＳＩ内に設けられており、上記第２のＬＳＩには、上記受信側制御データ処理手段と上記第２のバスとを接続するための端子が設けられていてもよい。
【発明の効果】
【００５４】
以上のように本発明によれば、データ暗号化手段とデータ送信手段と送信側制御データ処理手段と送信側制御データ記憶手段とデータ受信手段とデータ復号化手段と受信側制御データ処理手段と受信側制御データ記憶手段とを設けることで、送信装置と受信装置とを１対１で接続でき、伝送路の長距離化が容易であることに加え、安価な送信制御手段を使用することができ、その実用的効果は大きい。
【発明を実施するための最良の形態】
【００５５】
以下、本発明の実施の形態について、図面を用いて説明する。
【００５６】
（第１の実施形態）
図１は、本発明の第１の実施形態に係る送信装置を示すブロック図である。同図では、説明を容易にするために、送信装置１９に接続された表示装置３５の構成も示している。表示装置の構成は図４に示す従来例と同一である。
【００５７】
図１に示すように、本実施形態の送信装置１９の特徴は、表示装置３５のＥＤＩＤ４７を記憶するための送信側制御データ記憶手段１４と、送信側制御データ処理手段１３とを備えていることである。
【００５８】
本実施形態の送信装置１９は、ＤＶＤプレーヤーなどの送信側処理装置３１の一部である。すなわち、送信側処理装置３７は、第１のデバイス鍵が保持された第１のメモリと、第１のメモリに接続された送信制御手段１５と、送信データ処理手段１６と、送信装置１９とを備えている。
【００５９】
そして、送信装置１９は、送信側制御データ記憶手段１４と、送信制御手段１５及び送信側制御データ記憶手段１４にそれぞれ接続された送信側制御データ処理手段１３と、送信データ処理手段１６に接続されたデータ暗号化手段１２と、データ暗号化手段１２に接続されたデータ送信手段１１とを備えている。送信装置１９は、単一のＬＳＩとして供給されることが多い。なお、送信装置１９中の各部は、すべてハードウェアであってもよいし、ＣＰＵで実行されるプログラムでも実現できる。本実施形態の送信装置１９が従来の送信装置と外見的に異なるのは、送信側制御データ処理手段１３を伝送路６０のうち低速バス６２に接続するための端子が設けられている点である。
【００６０】
また、図１で示す表示装置３５は、従来の表示装置と同じものであり、受信装置６３と、第２のデバイス鍵４６を保持する第２のメモリと、ＥＤＩＤ４７を保持する第３のメモリと、受信制御手段２５と、受信データ処理手段２６と、パネル２８とを備えている。第３のメモリは、伝送路６０のうち低速バス６２を介して送信側制御データ処理手段１３に接続される。ここで、低速バス６２は、例えばＩ２Ｃバスであり、最大転送クロック周波数１００ｋＨｚの低速なシリアルバスである。
【００６１】
以上に説明した送信装置１９を用いた映像信号の送信動作について説明する。図１に示す実施例では、ＤＶＤディスク１８に記録されている映像信号を液晶表示装置などの表示
装置に送信している。ここでは、伝送路６０がＤＶＩ規格に準拠しており、データ暗号化手段１２がＨＤＣＰ規格に準拠した暗号化を行う場合を例にとって説明するものとする。
【００６２】
まず、ＤＶＤディスク１８に記録されている映像信号は、送信データ処理手段１６で信号処理を施される。ここでは、送信データ処理手段１６が、例えばＤＶＤディスク１８に圧縮された状態で記録された映像信号をデコードする等の処理を行う。データ暗号化手段１２の暗号化の方式には、ＨＤＣＰが用いられる。
【００６３】
次に、送信データ処理手段１６から送られた映像信号は、データ暗号化手段１２で暗号化される。ここで暗号化された映像信号はデータ送信手段１１に転送される。なお、映像信号を暗号化するための演算の方法については後述する。
【００６４】
続いて、データ送信手段１１が、暗号化された映像信号を高速バス６１へ送出する。高速バス６１においては、映像信号がＴＭＤＳ方式で伝送される。すなわち、高速バス６１はシリアル伝送路であり、該高速バス６１には、赤、緑、青のチャンネル毎の伝送路と、クロックの伝送路とが設けられている。赤、緑、青に分解された映像信号は伝送路内をベースバンド信号で伝送されることとなっている。なお、高速バス６１の最大転送速度はチャンネル毎に約７５０Ｍｂｉｔ/ｓｅｃ以上である。また、ＴＭＤＳ方式では差動信号が
用いられる。
【００６５】
次に、本実施形態の送信装置を用いた場合のプラグアンドプレイ動作について説明する。
【００６６】
まず、送信側制御データ記憶手段１４は、表示装置３５の解像度やフレーム周期の情報、具体的には表示装置３５のＥＤＩＤ４７を記憶する。送信側制御データ記憶手段１４の例としては、ＳＲＡＭやＤＲＡＭ等のメモリが挙げられる。本ステップにおいて、送信側制御データ処理手段１３は伝送路６０のうち低速バス６２を介してＥＤＩＤ４７を読み出し、これを送信側制御データ記憶手段１４に書き込む。この動作は随時行ってもよいし、リセット直後に一括して行ってもよい。ただし、リセット直後に一回だけ記憶した方が、その後、低速バス６２を使用する必要がなくなるため、高速動作が可能になる。
【００６７】
次に、送信制御手段１５は、送信側制御データ記憶手段１４に記憶されたＥＤＩＤ４７を読み出し、送信データ処理手段１６を制御して表示装置３５に最適な解像度、及びフレーム周波数等の設定を行う。言い換えれば、本ステップでは、映像信号の水平走査周期、垂直走査周期が最適化されることとなる。
【００６８】
次に、本実施形態の送信装置１９におけるＨＤＣＰの認証動作を簡単に説明する。ＨＤＣＰでは、受信機器が不正な機器ではないことを認証した後、初めて暗号化伝送が可能となる。
【００６９】
まず、送信側制御データ処理手段１３は表示装置３５内の第２のメモリよりＨＤＣＰの認証に必要な情報（認証情報）を読み出し、送信側制御データ記憶手段１４に書き込む。ここで、「認証に必要な情報」には、デバイス鍵以外に、機器が今認証可能な状態であるかどうかの情報や、ＨＤＣＰのバージョン情報などがある。本ステップで、認証に必要な情報は、伝送路６０のうち低速バス６２を介して伝送される。本実施形態の送信装置１９においては、送信側制御データ記憶手段１４を１つのメモリで構成し、ＥＤＩＤと認証に必要な情報とを異なるアドレスに記憶してもよいし、各データを記憶する別個のメモリで構成してもよい。ただし、１つのメモリで構成する方が、メモリの使用効率が高く、製造コストの低減を図ることができる。この場合、メモリの容量は少なくとも５１２Ｂｙｔｅ以上であることが好ましい。
【００７０】
次に、ＨＤＣＰの認証を行なう際には、送信側制御データ処理手段１３の演算結果と、低速バス６２を介して送信制御手段１５に伝達された復号化制御手段の演算結果とから、表示装置３３（あるいは受信装置６３）が不正な機器ではないことを確認する。なお、送信装置側で演算を行なう場合、送信制御手段１５は第１のデバイス鍵１７をもとに送信側制御データ処理手段１３を用いて演算を行なう。
【００７１】
次に、表示装置３５が不正な機器でないと判断されれば、送信制御手段１５は、暗号鍵を送信側制御データ処理手段１３に生成させる。なお、本実施形態で用いられる送信制御手段１５は例えばマイコンであって、送信装置１９を制御するためのものである。
【００７２】
以上のように、本実施形態の送信装置１９によれば、送信制御手段１５は１つのポートで送信装置１９を制御することができるので、例えば低価格なマイコンでシステムを構成することができる。また、表示装置３５のＥＤＩＤ４７等をリセット後に一度だけ送信側制御データ記憶手段１４に記憶するようにすれば、その後の動作時には、送信制御手段１５は送信側制御データ記憶手段１４にアクセスすればよくなる。送信側制御データ記憶手段１４と送信制御手段１５との間のデータ転送速度は低速バス６２での転送速度よりも速いので、本実施形態の送信装置によれば、低速バス６２のアクセススピードに左右されずにプラグアンドプレイの動作や機器の認証動作を行なうことができる。例えば、送信制御手段１５と送信装置１９の間を低速バス６２より高速なパラレルバスで接続しても、アクセス待ちが発生するようなことなく高速にアクセスできる。
【００７３】
さらに送信装置１９と受信装置６３との間で、低速バス６２が１対１に接続されているため、負荷容量を小さくできる。このため、伝送路６０を長距離化しても、波形なまりが発生しにくく、容易に伝送路６０の長距離化が可能となる。
【００７４】
なお、図１の構成では第１のデバイス鍵１７を送信制御手段１５がアクセスする構成としたが、送信装置１９がアクセスする構成としても効果は同じである。
【００７５】
本実施形態では、伝送路がＤＶＩ規格に準拠する場合について説明したが、以上で説明したものと同様の機能及び性能を有する伝送路を備えていれば、ＤＶＩ規格に限らないことは言うまでもない。例えばＤＶＩ規格に音声信号を多重したような伝送路であってもよい。このような規格としては、ＨＤＭＩ（High-Definition Multimedia Interface）が知られている。バスの最大長さは、ＤＶＩ規格では５ｍ、ＨＤＭＩでは１０ｍであるので、波形なまりを抑えられる本実施形態の送信装置は、ＨＤＭＩ規格にも適している。ＨＤＭＩ規格の場合、映像信号以外に音声信号も伝送することができる。
【００７６】
また、図１ではＤＶＤに記録された映像信号を送信する例を示したが、記録媒体はＤＶＤに限らず、コンピュータのハードディスクなどであってもよい。また、送信側処理装置３１はセットトップボックス（ＳＴＢ）であってもよい。
【００７７】
なお、本実施形態の説明においては、送信装置１９を送信側処理装置３１の一部としたが、送信側処理装置３１全体を広義の「送信装置」と呼ぶ場合もある。
【００７８】
（第２の実施形態）
図２は、本発明の第２の実施形態に係る受信装置を示すブロック図である。同図では、受信装置の動作を説明しやすいように、従来と同一構成の送信側処理装置３７も示している。
【００７９】
図２に示すように、本実施形態の受信装置２９は、例えば表示装置３３の一部であり、
ＥＤＩＤや機器の認証に必要な情報を記憶するための受信側制御データ記憶手段２４と、受信側制御データ処理手段２３とを備えていることが特徴である。
【００８０】
図２に示す表示装置３３は、高速バス６１と低速バス６２とを含む伝送路６０に接続された受信装置２９と、ＥＤＩＤ及び第２のデバイス鍵を含む受信側情報２７を保持する第４のメモリと、第４のメモリに接続され、受信装置２９の認証動作を制御する受信制御手段２５と、受信装置２９から出力される信号を受ける受信データ処理手段２６と、受信データ処理手段２６に接続されたパネル２８とを備えている。
【００８１】
そして、受信装置２９は、高速バス６１を介して暗号化された映像信号を受信するためのデータ受信手段２１と、受信側制御データ記憶手段２４と、受信側制御データ記憶手段２４に接続されるとともに、低速バス６２に接続された受信側制御データ処理手段２３と、データ受信手段２１に接続され、暗号化された映像信号を復号化するためのデータ復号化手段２２とを備えている。なお、図２に示す例では、図１とは異なり、受信側情報２７はフラッシュメモリやＥＥＰＲＯＭに保持され、且つＥＤＩＤと第２のデバイス鍵の両方を含んでいる。また、本実施形態の受信装置２９が従来の送信装置と外見的に異なるのは、受信側制御データ処理手段２３を伝送路６０のうち低速バス６２に接続するための端子が設けられている点である。
【００８２】
また、図２に示す送信側処理装置３７は、従来のものと同様であり、第１のデバイス鍵１７を保持する第５のメモリと、送信制御手段１５と、送信データ処理手段１６と、送信装置７０とを備えている。
【００８３】
送信装置７０は、ＤＶＤディスク１８に記録された映像信号を暗号化するための送信データ処理手段１６と、低速バス６２を介して受信側制御データ処理手段２３に接続され、送信制御手段１５により制御される暗号化制御手段４１と、暗号化された映像信号を高速バス６１を介してデータ受信手段２１に送るためのデータ送信手段１１とを備えている。
【００８４】
次に、本実施形態の受信装置２９の映像信号の受信動作について説明する。本実施形態では、伝送路６０がＤＶＩ規格に準拠しており、データ復号化手段２２がＨＤＣＰ規格に準拠した復号化を行う場合を例にとって説明する。
【００８５】
まず、データ受信手段２１は、データ送信手段１１から高速バス６１を介して送信された、暗号化済みの映像信号を受信する。映像信号は、ＴＭＤＳ方式で伝送される。該高速バス６１には、赤、緑、青のチャンネル毎の伝送路と、クロックの伝送路とが設けられている。赤、緑、青に分解された映像信号は伝送路内をベースバンド信号で伝送されることとなっている。なお、高速バス６１の最大転送速度はチャンネル毎に約７５０Ｍｂｉｔ/
ｓｅｃ以上である。
【００８６】
次いで、暗号化された映像信号はデータ復号化手段２２によって復号化され、元の映像信号に復元される。その後、復元された映像信号は、受信データ処理手段２６に送られる。次に、受信データ処理手段２６で信号処理が施された後、パネル２８で映像信号の内容が表示される。ここでは、受信データ処理手段２６が、例えば階調補正や、水平・垂直走査周期に応じたパネル２８への信号出力の最適化を行なう。
【００８７】
次に、本実施形態の受信装置におけるプラグアンドプレイ動作及び機器の認証動作を簡単に説明する。
【００８８】
受信側制御データ記憶手段２４は、パネル２８の解像度やフレーム周期の情報、具体的にはＥＤＩＤを記憶する。受信側制御データ記憶手段２４の例としては、ＳＲＡＭやＤＲ
ＡＭ等のメモリがある。受信側制御データ処理手段２３は受信制御手段２５よりＥＤＩＤを受け取り、受信側制御データ記憶手段２４に書き込む。この動作は随時行ってもよいし、リセット直後に一括して行ってもよい。ただし、リセット直後に一回だけ記憶した方がその後、受信制御手段２５の受信側情報２７へのアクセスを省けるので、高速動作には有利である。
【００８９】
送信制御手段１５は、低速バス６２を介してＥＤＩＤを取得し、送信データ処理手段１６を制御してパネル２８にとって最適な水平走査周波数、垂直走査周波数の映像信号を出力させる。これによって、常に最適な状態で、パネル２８にＤＶＤディスク１８に記録された映像を表示させることが可能になる。
【００９０】
また、受信側制御データ処理手段２３は、受信制御手段２５よりＨＤＣＰの認証に必要な情報を受け取り、受信側制御データ記憶手段２４に書き込む。ここで、「ＨＤＣＰの認証に必要な情報」には、デバイス鍵以外に機器が今認証可能な状態であるかどうかの情報や、ＨＤＣＰのバージョン情報などが含まれる。
受信側制御データ記憶手段２４を１つのメモリで構成し、ＥＤＩＤと認証に必要な情報を異なるアドレスに記憶してもよいし、ＥＤＩＤと認証に必要な情報をそれぞれ別個のメモリに記憶するようにしてもよい。ただし１つのメモリで構成する方が、メモリの使用効率が高く、製造コストの低減を実現できる。この場合には、メモリの容量は少なくとも５１２Ｂｙｔｅ以上である必要がある。
【００９１】
また、受信制御手段２５は例えばマイコンであって、受信装置２９を制御する。
【００９２】
すなわち、受信制御手段２５は、第２のデバイス鍵をもとに受信側制御データ処理手段２３を用いて所定の手順で演算を行う。こうして得られた演算結果は、低速バス６２及び暗号化制御手段４１を介して送信制御手段１５へ伝送される。送信制御手段１５は第１のデバイス鍵１７をもとに暗号化制御手段４１を用いて所定の手順で演算を行い、得られた演算結果と受信制御手段２５による演算結果とから、受信機器が不正な機器ではないことを確認する。
【００９３】
受信機器が不正な機器でないと確認されれば、受信側情報２７に含まれる第２のデバイス鍵を用い、受信側制御データ処理手段２３を制御して復号鍵を生成させる。また受信側制御データ処理手段２３は、送信側処理装置３７の要求に応じて、受信側制御データ記憶手段２４に記憶された情報を読み出し、これをデータ受信手段２１へ伝送する。これにより、受信データ処理手段２６が処理できる映像信号を伝送することができ、プラグアンドプレイが実現される。
【００９４】
以上のように、本実施形態の受信装置２９を送受信システムに用いれば、送信装置７０と受信装置２９との間で、低速バス６２が１対１に接続されているため、低速バス６２当たりの負荷容量を小さくできる。このため、伝送路６０を長距離化しても、波形なまりが発生しにくく、容易に伝送路６０の長距離化が可能となる。
【００９５】
なお、受信側情報２７をリセット後に一度だけ受信側制御データ記憶手段２４に記憶するようにすれば、動作速度が低速バス６２のアクセススピードに左右されることがなくなる。例えば、受信制御手段２５と受信装置２９の間を低速バス６２より高速なパラレルバスで接続しても、アクセス待ちが発生するようなことなく高速にアクセスできるようになる。
【００９６】
さらに、図２に示す構成では、受信側情報２７を受信制御手段２５がアクセスする構成としたが、受信装置２９がアクセスする構成としても効果は同じである。また、受信側情
報２７にＥＤＩＤとデバイス鍵が保持されているとしたが、別々に保持されていてもよいし、一方には受信制御手段２５がアクセスし、もう一方には受信装置２９がアクセスする構成としてもよい。
【００９７】
本実施形態の説明では、伝送路がＤＶＩ規格に準拠した場合について説明したが、同様の伝送路を備えていれば、ＤＶＩ規格に限らないことは言うまでもない。例えば、ＨＤＭＩなどの、ＤＶＩ規格に音声信号を多重したような伝送路を用いてもよい。
【００９８】
なお、表示装置３３としては、液晶表示装置やＴＶ、ＣＲＴなど、種々のものを用いることができる。
【００９９】
また、本実施形態の説明においては、受信装置２９を表示装置３３の一部としたが、表示装置３３の全体を広義の「受信装置」と呼ぶ場合もある。
【０１００】
（第３の実施形態）
図３は、本発明の第３の実施形態に係る送受信システムを示すブロック図である。同図に示すように、本実施形態の送受信システムは、図１に示す第１の実施形態に係る送信装置１９と、図２に示す第２の実施形態に係る受信装置２９とを組み合わせたものである。図３においては、図１、図２に示した手段と同じ手段には同じ符号を付している。また、既に動作を説明した手段については説明を省略する。また、本実施形態では、伝送路６０がＤＶＩ規格に準拠しており、データ暗号化手段１２、データ復号化手段２２がＨＤＣＰ規格に準拠した暗号化、復号化を行う場合を例にとって説明する。
【０１０１】
表示装置３３において、受信制御手段２５は受信側情報２７を読み出し、受信側制御データ記憶手段２４へ記憶させる。ここで、受信側情報２７には、ＥＤＩＤと第２のデバイス鍵が含まれている。
【０１０２】
送信側制御データ処理手段１３は、低速バス６２を介して受信側制御データ記憶手段２４へ記憶されている受信側情報を読み出し、送信側制御データ記憶手段１４へ記憶させる。
【０１０３】
送信制御手段１５は、送信側制御データ記憶手段１４に記憶されている受信側情報をもとに、送信データ処理手段１６が、パネル２８に適した水平走査周期、垂直走査周期等を設定するように制御する。その一方で、送信制御手段１５は、送信側制御データ処理手段１３に暗号鍵を生成させ、プラグアンドプレイを実現する。
【０１０４】
以上のように、本実施形態の送受信システムによれば、送信制御手段１５は１つのポートで送信装置１９を制御することができ、面積を小さくし、製造コストを低減することが可能となる。また、送信制御手段１５を低価格なマイコンで構成することによっても製造コストの低減を図ることができる。
【０１０５】
また、受信側情報２７に含まれるＥＤＩＤや第２のデバイス鍵等をリセット後に一度だけ送信側制御データ記憶手段１４に記憶するようにすれば、送信制御手段１５がＥＤＩＤや第２のデバイス鍵を用いる際に送信側制御データ記憶手段１４にアクセスすればよくなる。すなわち、認証動作や暗号化の度に低速バス６２にアクセスする必要がなくなるので、動作速度が低速バス６２のアクセススピードに左右されることがなくなる。例えば送信制御手段１５と送信装置１９の間を低速バス６２より高速なパラレルバスで接続しても、アクセス待ちが発生するようなことなく高速にアクセスできるようになる。さらに、本実施形態では、送信装置１９と受信装置６３との間で、低速バス６２が１対１に接続されているため、低速バス６２の負荷容量を最小化できる。このため、伝送路６０を長距離化し
ても、波形なまりが発生しにくく、従来の送受信システムに比べて伝送路６０の長距離化が可能となる。
【０１０６】
以上のように、本実施形態の送受信システムにおいては、第１の実施形態、第２の実施形態の場合と比べてもシステムの製造コストの低減、及び信号の伝送性能の向上を図ることが可能となっている。
【０１０７】
なお、図３に示す構成では、送信制御手段１５が第１のデバイス鍵１７にアクセスする構成としたが、送信装置１９が第１のデバイス鍵１７にアクセスする構成としても効果は同じである。
【０１０８】
同様に、図３に示す構成では受信制御手段２５が受信側情報２７にアクセスする構成としたが、受信装置２９が受信側情報２７にアクセスする構成としても効果は同じである。
【０１０９】
また、受信側情報２７にＥＤＩＤと第２のデバイス鍵が保持されているとしたが、別々に保持されていてもよい。その場合、ＥＤＩＤと第２のデバイス鍵のうち一方には受信制御手段２５がアクセスし、もう一方には受信装置２９がアクセスする構成としてもよい。
【０１１０】
なお、本実施形態では、伝送路６０がＤＶＩ規格に準拠した場合の送受信システムについて説明したが、同様の性能を有する伝送路を備えていれば、ＤＶＩ規格以外の伝送路を用いることができるのは言うまでもない。例えば、ＨＤＭＩ規格のような、ＤＶＩ規格に音声信号を多重したような伝送路であってもよい。
【０１１１】
なお、伝送路６０のうち、低速バス６２を高速バス６１と同等の転送速度のバスに変えてもよいが、コストの面からは、本実施形態の構成の方が有利である。
【産業上の利用可能性】
【０１１２】
以上で説明したように、本発明の送信装置、受信装置、及び送受信システムは、不正コピー対策を施したＤＶＤプレーヤーや、コンピュータ及びディスプレイなど、映像信号を表示するための装置、あるいはシステムに有用である。
【図面の簡単な説明】
【０１１３】
【図１】本発明の第１の実施形態に係る送信装置を示すブロック図である。
【図２】本発明の第２の実施形態に係る受信装置を示すブロック図である。
【図３】本発明の第３の実施形態に係る送受信システムを示すブロック図である。
【図４】従来の送受信システムの第１の構成例を示すブロック図である。
【図５】従来の送受信システムの第２の構成例を示すブロック図である。
【符号の説明】
【０１１４】
１１      データ送信手段
１２      データ暗号化手段
１３      送信側制御データ処理手段
１４      送信側制御データ記憶手段
１５      送信制御手段
１６      送信データ処理手段
１７      第１のデバイス鍵
１８      ＤＶＤディスク
１９，７０      送信装置
２１      データ受信手段
２２      データ復号化手段
２３      受信側制御データ処理手段
２４      受信側制御データ記憶手段
２５      受信制御手段
２６      受信データ処理手段
２７      受信側情報
２８      パネル
２９，６３      受信装置
３１      送信側処理装置
３３，３５      表示装置
３７      送信側処理装置
４１      暗号化制御手段
４６      第２のデバイス鍵
４７      ＥＤＩＤ
６０      伝送路
６１      高速バス
６２      低速バス
【図１】
2005051558.tif 000003
【図２】
2005051558.tif 000004
【図３】
2005051558.tif 000005
【図４】
2005051558.tif 000006
【図５】
2005051558.tif 000007